【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
互いに対向する一対の基板の間に液晶層が挟持され、１つのドット領域内に透過表示領域と反射表示領域とを有する半透過反射型の液晶表示装置であって、
前記一対の基板の一方の基板の外面側に第１偏光板が設けられるとともに前記一対の基板の他方の基板の外面側に第２偏光板が設けられ、前記第２偏光板と前記他方の基板との間に、前記液晶層の旋光による波長分散を補償又は緩和するとともに、前記第２偏光板から入射された直線偏光の偏光方向を前記他方の基板の内面に近接する液晶分子の配向方向に概ね垂直な方向に変換する位相補償層が設けられ、
前記液晶層は、二色性色素が混入された誘電異方性が正の液晶組成物を含み、前記液晶層の液晶分子は、前記一対の基板の間において基板面に平行な面内で略９０°ねじれており、前記第１偏光板の透過軸方向と前記一方の基板の内面に近接する液晶分子の配向方向とは概ね平行であることを特徴とする、液晶表示装置。
【請求項２】
互いに対向する一対の基板の間に液晶層が挟持され、１つのドット領域内に透過表示領域と反射表示領域とを有する半透過反射型の液晶表示装置であって、
前記一対の基板の一方の基板の外面側に第１偏光板が設けられるとともに前記一対の基板の他方の基板の外面側に第２偏光板が設けられ、前記透過表示領域に、前記液晶層の旋光による波長分散を補償又は緩和するとともに概ねλの位相差を形成する位相補償層が設けられ、
前記液晶層は、二色性色素が混入された誘電異方性が正の液晶組成物を含み、前記液晶層の液晶分子は、前記一対の基板の間において基板面に平行な面内で略９０°ねじれており、前記第１偏光板の透過軸方向と前記第１基板の内面に近接する液晶分子の配向方向とは概ね平行であり、前記第２偏光板の透過軸方向と前記他方の基板の内面に近接する液晶分子の配向方向とは概ね垂直であることを特徴とする、液晶表示装置。
【請求項３】
互いに対向する一対の基板の間に液晶層が挟持され、１つのドット領域内に透過表示領域と反射表示領域とを有する半透過反射型の液晶表示装置であって、
前記一対の基板の一方の基板の外面側に第１偏光板が設けられるとともに前記一対の基板の他方の基板の外面側に第２偏光板が設けられ、前記透過表示領域に、前記液晶層の旋光による波長分散を補償又は緩和するとともに概ねλ／２の位相差を形成する位相補償層が設けられ、
前記液晶層は、二色性色素が混入された誘電異方性が正の液晶組成物を含み、前記液晶層の液晶分子は、前記一対の基板の間において基板面に平行な面内で略９０°ねじれており、前記第１偏光板の透過軸方向と前記一方の基板の内面に近接する液晶分子の配向方向とは概ね平行であり、前記位相補償層の遅相軸と前記他方の基板の内面に近接する液晶分子の配向方向とのなす角度がθであり、前記第２偏光板の透過軸と前記他方の基板の内面に接する液晶分子の配向方向とのなす角度が概ね２θであることを特徴とする、液晶表示装置。
【請求項４】
前記位相補償層の遅相軸と前記第２偏光板の透過軸にとのなす角度θが略４５°であることを特徴とする、請求項３記載の液晶表示装置。
【請求項５】
半透過反射層が前記位相補償層よりも液晶層側に配置されたことを特徴とする、請求項２〜４のいずれかの項に記載の液晶表示装置。
【請求項６】
前記位相補償層が前記透過表示領域にのみ設けられたことを特徴とする、請求項２〜４のいずれかの項に記載の液晶表示装置。
【請求項７】
前記液晶層のリタデーション値Δｎｄ（Δｎ：屈折率異方性，ｄ：液晶層厚）が、Δｎｄ＝０．８６６・λ（λ：３８０ｎｍ〜７８０ｎｍ）であることを特徴とする、請求項１〜６のいずれかの項に記載の液晶表示装置。
【請求項８】
前記位相補償層が、複数の位相差板組み合わせとして構成されたことを特徴とする、請求項１〜７のいずれかの項に記載の液晶表示装置。
【請求項９】
前記一対の基板の間にカラーフィルタが設けられたことを特徴とする、請求項１〜８のいずれかの項に記載の液晶表示装置。
【請求項１０】
請求項１〜９のいずれかの項に記載の液晶表示装置を備えたことを特徴とする、電子機器。
【手続補正２】
【補正対象書類名】明細書
【補正対象項目名】００１４
【補正方法】変更
【補正の内容】
【００１４】
【課題を解決するための手段】
上記の目的を達成するために、本発明の液晶表示装置は、互いに対向する一対の基板の間に液晶層が挟持され、１つのドット領域内に透過表示領域と反射表示領域とを有する半透過反射型の液晶表示装置であって、前記一対の基板の一方の基板の外面側に第１偏光板が設けられるとともに前記一対の基板の他方の基板の外面側に第２偏光板が設けられ、前記第２偏光板と前記他方の基板との間に、前記液晶層の旋光による波長分散を補償又は緩和するとともに、前記第２偏光板から入射された直線偏光の偏光方向を前記他方の基板の内面に近接する液晶分子の配向方向に概ね垂直な方向に変換する位相補償層が設けられ、前記液晶層は、二色性色素が混入された誘電異方性が正の液晶組成物を含み、前記液晶層の液晶分子は、前記一対の基板の間において基板面に平行な面内で略９０°ねじれており、前記第１偏光板の透過軸方向と前記一方の基板の内面に近接する液晶分子の配向方向とは概ね平行であることを特徴とする。
【手続補正３】
【補正対象書類名】明細書
【補正対象項目名】００１５
【補正方法】変更
【補正の内容】
【００１５】
この構成の透過モードにおける暗表示時の作用について、図２を用いて説明する。図２は本発明の原理を説明するための図であり、二色性色素Ｓを含んだ液晶層１６が上下の基板１４，１３で挟持され、各基板１４，１３の外面側にそれぞれ偏光板３６，２８が設けられるとともに、下基板１３の内面側に半透過反射層１８が形成された半透過反射型の液晶表示装置を模式的に示している。
ここで、液晶層１６の液晶分子Ｌは、非選択電圧印加時に上基板１４と下基板１３との間において基板面に平行な面内で略９０°ねじれており、上基板１４の内面側に接する液晶分子Ｌの配向方向は上偏光板（第１偏光板）３６の透過軸に略平行となっている。また、比較のために、この液晶表示装置を位相補償層を設けない左側部分と、位相補償層６０を下基板１３と下偏光板２８との間に介装させた右側部分とに分けているが、各下偏光板（第２偏光板）２８の透過軸は下基板１３の内面側に接する液晶分子Ｌの配向方向に対して適宜の角度に配され、液晶層１６に入射する光の偏光方向が上記配向方向に概ね垂直となるようになっている。
【手続補正４】
【補正対象書類名】明細書
【補正対象項目名】００１９
【補正方法】変更
【補正の内容】
【００１９】
また、本発明の液晶表示装置は、互いに対向する一対の基板の間に液晶層が挟持され、１つのドット領域内に透過表示領域と反射表示領域とを有する半透過反射型の液晶表示装置であって、前記一対の基板の一方の基板の外面側に第１偏光板が設けられるとともに前記一対の基板の他方の基板の外面側に第２偏光板が設けられ、前記透過表示領域に、前記液晶層の旋光による波長分散を補償又は緩和するとともに概ねλの位相差を形成する位相補償層が設けられ、前記液晶層は、二色性色素が混入された誘電異方性が正の液晶組成物を含み、前記液晶層の液晶分子は、前記一対の基板の間において基板面に平行な面内で略９０°ねじれており、前記第１偏光板の透過軸方向と前記第１基板の内面に近接する液晶分子の配向方向とは概ね平行であり、前記第２偏光板の透過軸方向と前記他方の基板の内面に近接する液晶分子の配向方向とは概ね垂直であることを特徴とする。
【手続補正５】
【補正対象書類名】明細書
【補正対象項目名】００２１
【補正方法】変更
【補正の内容】
【００２１】
さらに、本発明の液晶表示装置は、互いに対向する一対の基板の間に液晶層が挟持され、１つのドット領域内に透過表示領域と反射表示領域とを有する半透過反射型の液晶表示装置であって、前記一対の基板の一方の基板の外面側に第１偏光板が設けられるとともに前記一対の基板の他方の基板の外面側に第２偏光板が設けられ、前記透過表示領域に、前記液晶層の旋光による波長分散を補償又は緩和するとともに概ねλ／２の位相差を形成する位相補償層が設けられ、前記液晶層は、二色性色素が混入された誘電異方性が正の液晶組成物を含み、前記液晶層の液晶分子は、前記一対の基板の間において基板面に平行な面内で略９０°ねじれており、前記第１偏光板の透過軸方向と前記一方の基板の内面に近接する液晶分子の配向方向とは概ね平行であり、前記位相補償層の遅相軸と前記他方の基板の内面に近接する液晶分子の配向方向とのなす角度がθであり、前記第２偏光板の透過軸と前記他方の基板の内面に接する液晶分子の配向方向とのなす角度が概ね２θであることを特徴とする。